(57)【特許請求の範囲】
【請求項１】
水を貯留するプール本体と、該プール本体の側壁に沿って上下動可能な可動床とを備える可動床プールであって、
前記可動床の下方に形成される空間に貯留される水に旋回流を生じさせる水流発生手段を備え、
前記水流発生手段は、複数の回転羽根の回転により水流を発生する回転式水流発生装置であり、前記回転式水流発生装置は、該回転式水流発生装置により発生される水流が前記プール本体の側壁に沿って流れるように、前記プール本体の側壁の中央近傍に配置されている可動床プール。
【請求項２】
前記プール本体の底部には、排水口が設けられており、前記排水口は、前記水流発生手段により形成される旋回流の平面視における旋回中心に略一致するように配置されている請求項１に記載の可動床プール。
【請求項３】
前記回転式水流発生装置は、複数設けられており、前記プール本体の各側壁の中央近傍にそれぞれ配置されている請求項１または２に記載の可動床プール。
【請求項４】
水を貯留するプール本体と、該プール本体の側壁に沿って上下動可能な可動床とを備える可動床プールの浄化方法であって、
前記可動床の下方に形成される空間に貯留される水に旋回流を生じさせる水流発生ステップを備え、
前記水流発生ステップは、複数の回転羽根の回転により水流を発生する回転式水流発生装置により発生される水流が前記プール本体の側壁に沿って流れるように、前記回転式水流発生装置を前記プール本体の側壁の中央近傍に配置して行われる可動床プールの浄化方法。
【発明の詳細な説明】
【技術分野】
【０００１】
本発明は、可動床プールおよび可動床プールの浄化方法に関する。
【背景技術】
【０００２】
従来、水深を適宜変更することができる水泳用プールとして、例えば、特許文献１に開示されているような可動床プールが知られている。この可動床プールは、図６に示すように、プール本体１１０の中に上下方向に移動可能な可動床１２０が設置されており、可動床１２０の高さを昇降装置１３０により調整することによって、プールの水深を変更可能とするものである。【０００３】
このような可動床プール１００おいてプール水の浄化を行う場合、プール本体１１０の底部１１１からプール水を取水して浄化するのが一般的であるが、可動床１２０が邪魔して可動床１２０の上方に貯留されるプール水を取水して浄化することが困難であるという問題があった。【０００４】
このような問題を解消するための装置として、特許文献２に開示されているような可動床プールの水浄化装置が知られている。この装置は、可動床プールにおける可動床の下方に形成される可動床下部空間に貯留されるプール水と、可動床の上方に貯留されるプール水とをそれぞれ独立して殺菌装置や濾過装置に導くことにより、水中に浮遊している細菌やウイルスを除去してプール水の浄化を図ろうとするものである。
【特許文献１】特開平７−１６６７２７号公報
【特許文献２】特開平１−２９９９６４号公報
【発明の開示】
【発明が解決しようとする課題】
【０００５】
しかしながら、特許文献２に開示されているような可動床プールの水浄化装置により可動床プールに貯留されているプール水を浄化する場合、可動床の裏面側や可動床下部空間におけるプール本体の側壁、プール本体の底部等に付着したゴミやヌメリ等の汚れを除去することは困難であるという問題があった。【０００６】
可動床プールにおいては、可動床下部空間は、澱んで死水となる箇所が多く、また、可動床を動かしてプールの水深を変更するたびに、可動床上に堆積したゴミ（例えば、髪の毛、砂、繊維等）の多くが、可動床とプール本体の側壁との隙間を通り可動床の下方に形成される可動床下部空間に移動するため、可動床の裏面側等へのゴミやヌメリの付着が促進され、赤虫やボウフラなどが繁殖するという問題もあった。【０００７】
可動床の裏面側や可動床下部空間におけるプール本体の側壁、プール本体の底部等に付着したゴミやヌメリ等を除去するためには、可動床プールからプール水を排出した後、可動床下部空間に人が潜り込み、可動床の裏面側等に付着したゴミやヌメリ等の汚れを人力で除去しなければならず、多大な労力を必要としていた。【０００８】
本発明は、このような問題を解決すべくなされたものであって、可動床の下方に形成される可動床下部空間を清潔な状態に維持することができる可動床プールおよび可動床プールの浄化方法の提供を目的とする。
【課題を解決するための手段】
【０００９】
本発明の上記目的は、水を貯留するプール本体と、該プール本体の側壁に沿って上下動可能な可動床とを備える可動床プールであって、前記可動床の下方に形成される空間に貯留される水に旋回流を生じさせる水流発生手段を備えている可動床プールにより達成される。【００１０】
この可動床プールにおいて、前記プール本体の底部には、排水口が設けられており、前記排水口は、前記水流発生手段により形成される旋回流の平面視における旋回中心に略一致するように配置されていることが好ましい。【００１１】
また、前記水流発生手段は、複数の回転羽根の回転により水流を発生する回転式水流発生装置であり、前記回転式水流発生装置は、該回転式水流発生装置により発生される水流が前記プール本体の側壁に沿って流れるように、前記プール本体の側壁近傍に複数配置されていることが好ましい。【００１２】
また、本発明の上記目的は、水を貯留するプール本体と、該プール本体の側壁に沿って上下動可能な可動床とを備える可動床プールの浄化方法であって、前記可動床の下方に形成される空間に貯留される水に旋回流を生じさせる水流発生ステップを備えている可動床プールの浄化方法により達成される。
【発明の効果】
【００１３】
本発明によれば、可動床の下方に形成される可動床下部空間を清潔な状態に維持することができる可動床プールおよび可動床プールの浄化方法を提供することができる。
【図面の簡単な説明】
【００１４】
【図１】本発明に係る可動床プールを示す概略構成断面図である。
【図２】本発明に係る可動床プールの可動床の下方に形成される可動床下部空間の概略構成平面図である。
【図３】本発明に係る可動床プールを構成する水流発生手段の一例を示す概略構成図である。
【図４】本発明に係る可動床プールの他の変形例を示す概略構成平面図である。
【図５】本発明に係る可動床プールの他の変形例を示す概略構成平面図である。
【図６】従来の可動床プールを示す斜視図である。
【符号の説明】
【００１５】
１    可動床プール
１０    プール本体
１１    底部
１２    排水口
１４    側壁
２０    可動床装置
２１    可動床
２２    昇降装置
２３    可動床下部空間
２４    開口部
２５    蓋部
２７    可動床上部空間
３０    水流発生手段
３１    回転羽根
３２    電源ケーブル
３５    ケース
【発明を実施するための最良の形態】
【００１６】
以下、本発明の実施形態について図１および図２を参照して説明する。図１は、本実施形態に係る可動床プールを示す概略構成断面図であり、図２は、可動床プールの可動床の下方に形成される可動床下部空間を示す概略構成平面図である。なお、図２は、図１において示される昇降装置を省略して示している。【００１７】
図１および図２に示すように、本実施形態に係る可動床プール１は、水を貯留するプール本体１０、可動床装置２０および水流発生手段３０を備えている。【００１８】
プール本体１０は、図２に示すように、平面視矩形状に形成されており、その底部１１には、プール本体１０に貯留される水を排出するための排水口１２が設けられている。この排水口１２は、後述のように水流発生手段３０により形成される旋回流Ｒの平面視における旋回中心に略一致するように、プール本体１０の底部１１の略中央部に設けられている。また、排水口１２には、当該排水口１２から排出される水を可動床２１の上方に形成される可動床上部空間２７に還流するための図示しない循環系路が接続している。この循環系路は、排水口１２から排出される水を濾過することによりゴミなどを除去する濾過装置と、プール本体１０に貯留される水に生息する細菌や害虫を駆除する塩素を注入する塩素注入装置とを備えている。【００１９】
可動床装置２０は、図１に示すように、可動床２１およびプール本体１０の側壁１４に沿って可動床２１を上下方向に移動する昇降装置２２を備えている。可動床２１は、当該可動床２１の下方に形成される可動床下部空間２３に水流発生手段３０を設置するための開口部２４と当該開口部２４を覆う開閉自在な蓋部２５とを備えている。昇降装置２２は、可動床下部空間２３に設置されており、上部が可動床２１の裏面側２１ａと接続している。この昇降装置２２が上下動することにより、可動床２１の高さを調整し、プールの水深を変更することが可能となる。【００２０】
水流発生手段３０は、可動床２１の下方に形成される可動床下部空間２３に貯留される水に水流を発生させることにより旋回流を生じさせる手段であり、当該可動床下部空間２３に設置されている。本実施形態においては、図２に示すように、プール本体１０の側壁１４近傍に複数の水流発生手段３０を配置し、各水流発生手段３０が形成する水流が、プール本体１０の側壁１４に沿った一定方向の旋回流Ｒとなるように構成されている。また、水流発生手段３０は、図３に示すように、網状の板を組み合わせることにより形成されるケース３５内に収納されている。水流発生手段３０としては、例えば、複数の回転羽根の回転により水流を発生する回転式水流発生装置である水中ミキサーや水中ポンプなどを例示することができる。図３においては、水流発生手段３０として水中ミキサーを例示しており、回転羽根３１を回転させることにより、図３の左側から右側に水を送り出すことができるように構成されている。回転羽根３１は、電源ケーブル３２に接続している図示しないモータの駆動により回転する。【００２１】
次に、本実施形態に係る可動床プール１の作動について説明する。まず、各水流発生手段３０を駆動し、可動床２１の下方に形成される可動床下部空間２３に貯留されている水に水流を発生させる。各水流発生手段３０により発生される水流は、可動床下部空間２３におけるプール本体１０の側壁１４に沿って流れる旋回流Ｒを形成する。この旋回流Ｒは、複数の水流発生手段３０により発生される水流を組み合わせることにより形成されているため、その流れは、略一定の勢いに維持されて、円滑なものとなる。【００２２】
水流発生手段３０により形成される旋回流Ｒの平面視における旋回中心に略一致するプール本体１０の底部１１には、水を排出する排水口１２が設けられているため、旋回流Ｒは、一定方向に旋回しながら排水口１２に向けて流れる渦流となる。【００２３】
水流発生手段３０は、可動床下部空間２３に貯留される水に強制的に旋回流Ｒを発生させるため、この旋回流Ｒの勢いによって、可動床２１の裏面側２１ａやプール本体１０の底部１２、昇降装置２２等に付着しているゴミやヌメリなどの汚れを剥離して除去することが可能となる。除去されたゴミやヌメリなどは、上述の渦流に乗って排水口１２に向けて流され、当該排水口１２を通過して図示しない循環系路の濾過装置によって濾過されて回収される。【００２４】
また、可動床下部空間２３に堆積しているゴミや水中に浮遊しているゴミは、上述の渦流に乗って排水口１２に向けて流され、当該排水口１２を通過して濾過装置によって回収される。また、水流発生手段３０により形成される旋回流Ｒの一部は、可動床下部空間２３におけるプール本体１０の側壁１４に沿って流れてプール本体１０のコーナー部１５に当たるため、除去しにくいコーナー部１５のゴミを確実に旋回流Ｒに乗せることができる。旋回流Ｒに乗せられたゴミは、上述のように排水口１２に向けて流され、図示しない循環系路の濾過装置によって回収される。【００２５】
排水口１２を通過し図示しない循環系路の濾過装置によりゴミなどが濾過された水は、塩素注入装置から注入された塩素と共に、可動床上部空間２７に導かれる。可動床上部空間２７に導かれた塩素は、可動床２１とプール本体１０の側壁１４との隙間を通過して可動床下部空間２３に進入する。可動床下部空間２３に進入した塩素は、水流発生手段１０によって形成される水流によって可動床下部空間２３の全域に分散されるため、当該可動床下部空間２３において生息する細菌や害虫を効率的に駆除することができる。【００２６】
このように、本実施形態に係る可動床プール１によれば、従来のように、可動床２１の下方に形成される可動床下部空間２３に人が潜り込んで人力によりゴミやヌメリを除去することなく、可動床２１の裏面側２１ａや可動床下部空間２３におけるプール本体１０の側壁１４、プール本体１０の底部１２などに付着するゴミやヌメリなどの汚れを確実に除去することができ、可動床２１の下方に形成される可動床下部空間２３を清潔な状態に維持することができる。この結果、可動床下部空間２３において、赤虫やボウフラなどの害虫が繁殖することを防止することができる。【００２７】
また、水流発生手段３０により形成される旋回流Ｒが、可動床２１の裏面側２１ａや可動床下部空間２３におけるプール本体１０の側壁１４、プール本体１０の底部１２、昇降装置２２等に当たるため、これらにヌメリやゴミなどが付着することを効果的に防止することができ、可動床下部空間２３を清潔な状態に維持することができる。【００２８】
また、水流発生手段３０によって可動床下部空間２３に貯留される水に水流を発生させることにより、当該可動床下部空間２３に貯留される水が澱むことを防止することができ、可動床下部空間２３において、赤虫やボウフラなどの害虫が繁殖することを防止することができる。また、可動床プール完成時から、可動床下部空間２３に水流発生手段３０を設置し、可動床下部空間２３に貯留される水に水流を発生させるようにすれば、これらの害虫が発生することを未然に防止することができる。【００２９】
また、循環系路の塩素注入装置から可動床上部空間２７に導かれ、可動床２１とプール本体１０の側壁１４との隙間を通過して可動床下部空間２３に進入する塩素を、水流発生手段３０により形成される水流によって可動床下部空間２３の全域に行き渡らせることができるので、可動床下部空間２３において生息する細菌や害虫を効率的に駆除することができる。【００３０】
また、本実施形態においては、図２に示すように、プール本体１０の側壁１４に沿って流れる旋回流Ｒを形成すると共に、この旋回流Ｒの平面視における旋回中心に略一致するようにプール本体１０の底部１１に排水口１２を設けるようにしているため、可動床下部空間２３の全域に亘って流動する渦流を形成することができる。この結果、可動床２１の裏面側２１ａやプール本体１０の底部１１等に付着しているゴミやヌメリを可動床下部空間２３の全域に亘って剥離して除去できると共に、剥離除去したゴミやヌメリなどの汚れを効率的に集めて排水口１２から排出することができる。【００３１】
また、水流発生手段３０として、複数の回転羽根の回転により水流を発生する回転式水流発生装置を採用し、この回転式水流発生装置を可動床下部空間２３におけるプール本体１０の側壁１４の近傍に配置することにより、旋回流Ｒを形成するようにしているため、既存の可動床プールにおいても容易に水流発生手段３０を設置することができ、可動床２１の裏面側２１ａやプール本体１０の底部１１に付着しているゴミやヌメリを除去して、可動床下部空間２３を清潔な状態に維持することが可能となる。【００３２】
また、本実施形態における水流発生手段３０は、複数の回転羽根３１の回転により水を送り出す回転式水流発生装置であるので、送り出される水に浮遊しているボウフラなどの害虫を回転羽根３１の回転により切断して死滅させることができ、効率的に害虫を駆除することができる。【００３３】
以上、本発明の一実施形態について説明したが、本発明の具体的な態様は上記実施形態に限定されない。本実施形態においては、図２に示すように、複数の水流発生手段３０を可動床下部空間２３に配置しているが、例えば、図４に示すように、単一の水流発生手段３０を配置してもよい。このような構成であっても、水流発生手段３０から送り出される水流は、プール本体１０の側壁１４に衝突しながら流動して旋回流Ｒを形成するため、排水口１２に向けて流れる渦流を形成することができる。この結果、上記のように、ゴミやヌメリ等を除去できると共に、可動床２１の裏面側２１ａなどにヌメリが付着することを防止することができ、可動床下部空間２３を清潔な状態に維持することができる。【００３４】
また、本実施形態においては、可動床下部空間２３に設置された水流発生手段３０により水流を発生するように構成されているが、このような構成に特に限定されない。例えば、可動床２１の下方におけるプール本体１０の側壁１４から可動床下部空間２３に噴流を噴射して水流を発生させるような構成を採用することもできる。【００３５】
また、本実施形態においては、図２に示すように、可動床下部空間２３におけるプール本体１０の側壁１４に沿って旋回する一つの旋回流Ｒを形成するように構成されているが、このような構成に特に限定されない。例えば、図５に示すように、各水流発生手段３０から送り出される水流を衝突させて、複数の旋回流Ｒ１，Ｒ２，Ｒ３，Ｒ４を形成してもよい。このような構成であっても、各旋回流Ｒ１，Ｒ２，Ｒ３，Ｒ４の作用により、可動床２１の裏面側２１ａや可動床下部空間２３におけるプール本体１０の側壁１４などに付着するゴミやヌメリなどを剥離して除去することができ、除去したゴミやヌメリなどを排水口１２から排出することができるので、可動床下部空間２３を清潔な状態に維持することができる。【００３６】
また、本実施形態において、排水口１２は、図２に示すように、水流発生手段３０により形成される旋回流Ｒの平面視における旋回中心に略一致するようにプール本体１０の底部１１に設けられているが、このような構成に特に限定されない。例えば、旋回流Ｒの平面視における旋回中心から離れたプール本体１０の底部１１に設けてもよい。このような構成であっても、水流発生手段３０により形成される旋回流Ｒの作用により、可動床２１の裏面側２１ａや可動床下部空間２３におけるプール本体１０の側壁１４などに付着するゴミやヌメリなどを剥離して除去することができ、除去したゴミやヌメリなどを排水口１２から排出することができるので、可動床下部空間２３を清潔な状態に維持することができる。【００３７】
また、本実施形態においては、図２に示すように、プール本体を平面視矩形状に形成しているが、このような構成に特に限定されず、例えば、平面視円形状や平面視楕円形状などの任意の形状を採用することができる。
【図１】
0004570169.tif 000002
【図２】
0004570169.tif 000003
【図３】
0004570169.tif 000004
【図４】
0004570169.tif 000005
【図５】
0004570169.tif 000006
【図６】
0004570169.tif 000007